(57)【要約】【課題】壁面に貼り付けた後の糊残りの問題を起こすことがなく、壁面の平滑面における自由な位置で繰り返して配置可能であるとともに、２枚のシートからなる簡単な構成でありながら各シートが分離してしまうことを確実に防止して紙葉等の被収納物を安全に収納することが可能な収納具を安価に提供する。【解決手段】糊剤を用いずに平滑面に密着し、繰り返し密着／剥離を行える矩形の透明シート（背面シート２）と、それとは別の透明シート（表面シート３）とを、上端を除く周囲で貼り合わせて収納具１を作成する。印刷された用紙等を収納した収納具１を平滑面に密着させて使用する。表面シート３と背面シート２とを貼り合わせるに当たっては、表面シート３と背面シート２との貼り合わせの力を、背面シート２が平滑面に密着する力よりも大きくする。それにより、平滑面に密着させた収納具１が、背面シート２が平滑面に密着したまま分離してしまうことがない。【選択図】図１
2007114254.tif 000002
【特許請求の範囲】
【請求項１】
他の物体に付着可能な第１シートと、
前記第１シートに重なった状態で保持される第２シートとを備え、
前記第１シートと前記第２シートとの協働により収納部が形成された収納具であって、
前記第１シートが前記物体に付着する付着力よりも大きな力で前記第２シートは第１シートに保持されることを特徴とする収納具。
【請求項２】
前記第２シートの前記第１シートへの保持は、融着であることを特徴とする請求項１に記載の収納具。
【請求項３】
前記第２シートの前記第１シートへの保持は、縫製することにより行うことを特徴とする請求項１に記載の収納具。
【請求項４】
前記第２シートの前記第１シートへの保持は、ステープラによって針を第１シートと第２シートに貫通した後、曲折することにより行うことを特徴とする請求項１に記載の収納具。
【請求項５】
前記第２シートの前記第１シートへの保持は、接着であることを特徴とする請求項１に記載の収納具。
【請求項６】
前記第２シートは透明であることを特徴とする請求項１乃至５に記載の収納具。
【請求項７】
前記第１シートは透明であることを特徴とする請求項６に記載の収納具。
【請求項８】
前記収納部は開口部を有していることを特徴とする請求項１乃至７に記載の収納具。
【請求項９】
前記物体は平滑面を有し、また、前記付着は密着であり、前記第１シートは平滑面に繰り返し密着及び剥離可能であって、第１シートが物体に密着する密着力よりも大きな力で前記第２シートは第１シートに保持されることを特徴とする請求項１乃至８に記載の収納具。
【発明の詳細な説明】
【技術分野】
【０００１】
本発明は、壁面にて紙葉等の被収納物を収納可能な収納具に関し、特に、壁面を痛めずに、かつ、壁面の平滑面における自由な位置で繰り返して配置可能な収納具に関するものである。
【背景技術】
【０００２】
従来より、不透明、透明、または、半透明の主としてポリ塩化ビニル製の基材フィルムの一面に粘着剤層が形成されてなる装飾用粘着シートが知られている。この装飾用粘着シートは、装飾を施したい材料に粘着剤層を利用して貼り付け、上記基材フィルムの表面側の色や模様等により装飾効果を発揮させるものであり、近年、塗装に代わり、ラベルやステッカ類、広告や看板などのディスプレイ分野などに使われている。このような装飾用粘着シートがウィンドディスプレイや屋内の表示、あるいは、短期的に貼り替えるような屋外の看板に使用される場合、再剥離性が要求されるが、再剥離時に糊残りが発生し易いという問題があった。この問題を解決するために、従来の粘着シートの再剥離性の粘着層に代わって、平滑面に貼り付けることが可能な密着層を基材フィルム上に設けることで、糊残りの問題を解決したフィルムが提案されている（例えば、特許文献１参照）。
【特許文献１】特開２００４−５９８００号公報
【発明の開示】
【発明が解決しようとする課題】
【０００３】
しかしながら、上述した特許文献１に記載のシートでは、シートに直接印刷をして使用するため、印刷内容が変わる毎に、新しい内容が印刷されたシートを作成しなければならず、シート自体高価な物であるため、その使用枚数が増えてコストが掛かる。また、誤った印刷のシートや古い印刷内容のシートは、印刷内容によっては再利用が可能となるが、再利用されるシートは一部に過ぎず、大半のシートは再利用できずに廃棄することになり、コストを助長する。
【０００４】
紙葉等の被収納物を収納する収納具であって糊残りがなく、再剥離可能な特徴を有しながら、壁面に取り付けることができる収納具については、従来提案がなされていない。
【０００５】
そこで、本発明は、上述した問題点を解決するためになされたものであり、壁面に貼り付けた後の糊残りの問題を起こすことがなく、壁面の平滑面における自由な位置で繰り返して配置可能であるとともに、２枚のシートからなる極めて簡単な構成でありながら各シートが分離してしまうことを確実に防止して紙葉等の被収納物を安全に収納することが可能な収納具を安価に提供することを目的とする。
【課題を解決するための手段】
【０００６】
前記目的を達成するため請求項１に係る収納具は、他の物体に付着可能な第１シートと、前記第１シートに重なった状態で保持される第２シートとを備え、前記第１シートと前記第２シートとの協働により収納部が形成された収納具であって、前記第１シートが前記物体に付着する付着力よりも大きな力で前記第２シートは第１シートに保持されることを特徴とする。
【０００７】
また、請求項２に係る収納具は、請求項１に記載の収納具において、前記第２シートの前記第１シートへの保持は、融着であることを特徴とする。
【０００８】
また、請求項３に係る収納具は、請求項１に記載の収納具において、前記第２シートの前記第１シートへの保持は、縫製することにより行うことを特徴とする。
【０００９】
また、請求項４に係る収納具は、請求項１に記載の収納具において、前記第２シートの前記第１シートへの保持は、ステープラによって針を第１シートと第２シートに貫通した後、曲折することにより行うことを特徴とする。
【００１０】
また、請求項５に係る収納具は、請求項１に記載の収納具において、前記第２シートの前記第１シートへの保持は、接着であることを特徴とする。
【００１１】
また、請求項６に係る収納具は、請求項１乃至５に記載の収納具において、前記第２シートは透明であることを特徴とする。
【００１２】
また、請求項７に係る収納具は、請求項６に記載の収納具において、前記第１シートは透明であることを特徴とする。
【００１３】
また、請求項８に係る収納具は、請求項１乃至７に記載の収納具において、前記収納部は開口部を有していることを特徴とする。
【００１４】
また、請求項９に係る収納具は、請求項１乃至８に記載の収納具において、前記物体は平滑面を有し、また、前記付着は密着であり、前記第１シートは平滑面に繰り返し密着及び剥離可能であって、第１シートが物体に密着する密着力よりも大きな力で前記第２シートは第１シートに保持されることを特徴とする。
【発明の効果】
【００１５】
請求項１に係る収納具では、前記第１シートと前記第２シートとの協働により収納部が形成されており、前記第１シートが前記物体に付着する付着力よりも大きな力で前記第２シートは第１シートに保持される。
【００１６】
これにより、物体に付着した収納具は、物体から剥離する場合において、第１シートと第２シートとに分離してしまうことがない。
【００１７】
また、請求項２に記載されているように、前記第２シートの前記第１シートへの保持は、融着によって行ってもよい。
【００１８】
また、請求項３に記載されているように、前記第２シートの前記第１シートへの保持は、縫製によって行ってもよい。
【００１９】
また、請求項４に記載されているように、前記第２シートの前記第１シートへの保持は、ステープラの針によって行ってもよい。
【００２０】
また、請求項５に記載のように、前記第２シートの前記第１シートへの保持は、接着によって行ってもよい。
【００２１】
また、請求項６に係る収納具では、第２シートは透明である。
【００２２】
これにより、収納具に収納した被収納物を外側から見ることができる。
【００２３】
また、請求項７に係る収納具では、第１シートは透明である。
【００２４】
これにより、収納具に何も収納していない時に、物体に貼り付けた収納具を通して物体を見ることができる。
【００２５】
また、請求項８に係る収納具では、収納部は開口部を有している。
【００２６】
これにより、収納具には平滑面に貼り付けた状態で被収納物を出し入れできる。
【００２７】
また、請求項９に係る収納具では、他の物体の平滑面に繰り返し密着及び剥離可能である。
【００２８】
これにより、壁面の平滑面における自由な位置で繰り返して配置可能である。
【発明を実施するための最良の形態】
【００２９】
以下、本発明に係る収納具について、図面を参照しながら具体化した実施形態に基づいて詳細に説明する。図１は、収納具１の平面図である。図２は、収納具１の側面図である。図３は、本実施形態に係る収納具１であって内部に印刷物を収納した状態の外観図である。
【００３０】
図１及び図２に示すように、収納具１は所定の大きさをした矩形のシート（以後、背面シート２と称する）と、そのシートとは幅が同じで高さが若干短い別の矩形のシート（以後、表面シート３と称する）とを、下端を一致させるように重ね合わせた状態で、前述の表面シート３の上端を除く周囲（図１における符号４に示す領域）において、背面シート２に対して表面シート３を保持することで形成している。
【００３１】
先ず、本実施形態に係る収納具１を構成する密着性の背面シート２について説明する。背面シート２には、フジコピアン株式会社のＦＩＸＦＩＬｍ（登録商標）を使用する。ＦＩＸＦＩＬｍ（登録商標）は、後述のＦＩＸ層側を対象物に向けて押し当てた時、その対象物が平滑面でありさえすれば、ガラス、金属、プラスチック、石等様々な素材に対して密着し、また、繰り返しの密着及び剥離が可能であり、粘着剤を用いないので剥がした跡にも、糊残りが生じないという性質を有している。尚、ＦＩＸＦＩＬｍ（登録商標）には、様々なタイプがあり、本実施形態では特に印刷用で透明なＦＩＸＦＩＬｍ−ＰＴＧを使用する。
【００３２】
これは４層構造をなしており、表面から印刷受像層、ポリエステルフィルム、ＦＩＸ層、セパレータとなっている。印刷受像層は、オフセット印刷、スクリーン印刷、凸版印刷等に対応した層であって、透明で０．５ミクロンメートルある。ポリエステルフィルムは、透明な層で５０ミクロンメートルある。ＦＩＸ層は、透明な層で２３ミクロンメートルある。セパレータは白色の防湿紙であって使用時には剥がされる。ＦＩＸ層に平滑面と密着する性質があるので、収納具１を形成するに当たっては、背面シート２は、ＦＩＸ層側が、表面シート３とは逆の面に来るようにする。尚、本発明においては、ＦＩＸＦＩＬｍ（登録商標）に印刷受像層は無くとも構わない。
【００３３】
ＦＩＸＦＩＬｍ（登録商標）の特性値としては、垂直方向の保持力は、１平方センチあたり８７０ｇｆであり、水平方向の保持力は、１平方センチあたり９３０ｇｆである。また、剥離力は、２５ｍｍ幅あたり４．２ｇｆである。
【００３４】
表面シート３については、ポリエチレンからなるフィルムであり、厚みは背面シート２と同等である。
【００３５】
図１及び図２に示すように、収納具１は概略としては、平らな構造であり、図３に示すように、表面シート３と背面シート２との間に紙に印刷した印刷物または薄い小物等を挟み込むようになっている。図３では、収納具１は、内部に印刷物５を挟み込んでおり、印刷物５は上部の一部を除き、収納具１に覆われている。収納具１の使用時には、セパレータは剥離するのでＦＩＸＦＩＬｍ（登録商標）からなる背面シート２自体は透明であり、表面シート３も透明であるので、印刷物５は収納具１に覆われている／いないに拘わらず、印刷内容を読み取ることが可能である。また、収納具１の収納部は、上に開口しているので（以後、開口部６と称する）、印刷物５の出し入れが常時可能である。
【００３６】
収納具１を平滑面に密着させて使用する時は、単に平滑面に収納具１の裏側を押し当てるだけでよい。垂直に立った平滑面に対しても収納具１は密着することができる。収納具１を剥がす時は、吸盤を引き剥がす時のように、平滑面と密着している面の周縁部を持ち、裏返すように引っ張って引き剥がすようにする。
【００３７】
図１における符号４に示す領域、即ち、表面シート３の下端における左端から右端に渡る所定幅の領域と表面シート３の左右端における上端から下端に渡る所定幅の領域とからなるＵ字状の領域において、背面シート２に対して表面シート３を保持するに当たっては、接着剤による接着を行う。この接着剤は背面シート２、表面シート３のどちらかのシートまたは両方のシートにおける領域４に塗布される。その接着剤の接着力は、背面シート２が平滑面に密着する力よりも大きな力とする。それにより、平滑面に密着した収納具１を表面シート３を持って平滑面から引き剥がそうとした場合も、収納具１は背面シート２を平滑面に密着させたまま分離してしまうことがない。
【００３８】
接着には、具体的には、硬化剤を用いてＵＶ硬化させることと、エポキシ系の接着剤による接着とを併用した。接着剤による接着も接着後数日放置して接着強度を上げた。そのように形成した収納具１を平滑なガラス面に密着させた上、開口部６に指を入れて表面シート３であるポリエチレンフィルムを掴んでガラス面に垂直に引き剥がすようにした結果、ポリエチレンフィルムが背面シート２であるＦＩＸＦＩＬｍ（登録商標）から剥がれることなく、収納具１をガラス面から剥がすことができた。これは、接着剤による接着力が、ＦＩＸＦＩＬｍ（登録商標）による背面シート２と平滑面との間の密着力よりも大きいためである。
【００３９】
尚、通常の粘着テープ等に使用されている中程度の接着力を持ったアクリル系の接着剤により接着した収納具１で同様の実験をした場合、表面シート３であるポリエチレンフィルムが、背面シート２であるＦＩＸＦＩＬｍ（登録商標）から剥がれて分解してしまった。これは、接着剤による接着力が、ＦＩＸＦＩＬｍ（登録商標）による密着力よりも小さいためである。
【００４０】
また、同じアクリル系の接着剤ではあるが、瞬間接着剤で接着した収納具１で同様の実験を行った結果では、収納具１は分離せずガラス面から剥がすことができた。
【００４１】
他の実施形態としては、背面シート２に対して表面シート３を保持するに当たって接着剤による接着を行うのに代えて、融着する方法や縫製する方法、ステープラで金属針を両のシートに貫通させた後屈曲させることで繋ぎ止める方法等がある。これらの方法により形成した収納具１の場合、背面シート２に対する表面シート３の保持力はＦＩＸＦＩＬｍ（登録商標）によるガラス板への密着力よりも当然に大きいので、収納具１が途中で分離することなくガラス板から収納具１を剥がすことができた。
【００４２】
収納具として使用するだけならば、背面シート２及び表面シート３は不透明でも構わない。本実施形態では、表面シート３の全体が透明であるので、収納している印刷物５の印刷内容を外側から読み取ることができる他に、印刷物５の有無を確認することもできる。尚、印刷内容を読み取ったり、印刷物５の有無を確認したりするためには、表面シート３のみ透明であればよい。そのため、表面シート３が透明で、背面シート２が不透明という構成でもよい。但し、表面シート３が透明であることに加えて背面シート２まで透明であることには、背面シート２と表面シート３とに挟まれてなる収納部に何も収納されていない時に、収納具１を通して、平滑面を見ることができるというメリットがある。
【００４３】
本実施形態に係る収納具１の使用例として、平滑面がガラス面であり、そのガラス面を備えた陳列棚に収納具１を、密着して貼り付けることが考えられる。収納具１が透明であれば、陳列棚に陳列してある物の状態を確認しやすくなる。その陳列棚には適当な湿度を保ったまま保温する機能が備わっており、小売店の店頭で肉まんを売るために使用されているものとする。肉まんは、陳列棚に長い時間入れておくと賞味期限が来て味が劣ることになるので、賞味期限が来た肉まんは商品として売れないことになる。その時間管理をするために、陳列棚に入れた時間を紙に書き、収納具１に収納する。紙に書き込めるので、専用の粘着テープに印刷したり、高価な密着性のシートに直接書き込んだりするのに比べ手軽である。
【００４４】
また、時間管理をする他にも、肉まんの原材料や宣伝文句等を纏めた小型の紙を肉まんの数だけ用意しておき、それを積層して収納具１に収納し、売れる度に１枚ずつ取り出しては客に渡してもよい。売り物の肉まんと小型の紙とを物理的に近くに持って来られることから作業の効率が上がる。
【００４５】
従来のシートでは、陳列棚に入っている肉まんの数だけ印刷済みのシートを作成しなければならず、コストが掛かるが、上記のように１つの収納具１に複数の印刷物５を収納すれば、収納具１が１つで済み安価である。
【００４６】
また、陳列棚に新しい肉まんを入れたり、賞味期限を越えたものを新しいものに交換したりする際には、陳列棚に入れた時間を印刷した印刷物を作成する必要がある。従来のシートを使用した場合、古い時間の印刷されたシートを陳列棚から剥がし、新たに時間を印刷したシートを作成して貼り付けなければならず、シートの使用枚数が増え、コストがアップする。さらに、古い時間の印刷されたシートを再利用できないため廃棄せざるを得ず、コストアップを助長する。
【００４７】
一方、上記収納具１であれば、収納具１から古い時間の書かれた紙（印刷物５）を取り出して、安価な紙に新しい時間を書き収納具１に収納するだけなので、高価な収納具１は交換する必要が無く、安価な紙のみ交換すればよいので、安価である。
【００４８】
また、シート２全体が透明であれば、収納具１が透明になり、収納具１内に印刷物５が収納されていないときには、収納具１とガラス面を通じて陳列棚の中を見ることができる。
【００４９】
ＦＩＸＦＩＬｍ（登録商標）には、不透明なタイプもあるので、背面シート２にはそれを代用することも可能である。背面シート２は、ＦＩＸＦＩＬｍ（登録商標）でなくとも、同様の平滑面に繰り返し密着及び剥離可能な性質を備えたシートであればよい。
【００５０】
また、背面シート２は、ＦＩＸＦＩＬｍ（登録商標）のように平滑面に繰り返し密着及び剥離可能な性質を備えたシートであるばかりでなく、弱粘着の粘着層を有するシートであって、平滑面であるなしに拘わらず、壁面へ繰り返し粘着及び剥離可能な性質を備えたシートであってもよい。これによる収納具の場合は、弱粘着であるので糊残りは生じない。
【００５１】
さらには、背面シート２は、通常の粘着力を有する粘着層を備えたシートであってもよい。これによる収納具の場合は、壁面の自由な場所に収納具を貼り付けることができる。
【００５２】
本実施形態に係る収納具１では、背面シート２と表面シート３とを、表面シート３の上端を除く周囲を接着することで収納部が形成されており、背面シート２が平滑面に密着する密着力よりも大きな接着力で表面シート３は背面シート２に接着される。これにより、平滑面に密着した収納具は１、平滑面から剥離する場合において、背面シート２と表面シート３とに分離してしまうことがない。
【００５３】
また、収納具１では、表面シート３は透明である。これにより、収納具１に収納した印刷物５を外側から見ることができる。
【００５４】
また、収納具１では、表面シート３に加え、背面シート２も透明である。これにより、収納具１に何も収納していない時に、平滑面に貼り付けた収納具１を通して平滑面を見ることができる。
【００５５】
また、収納具１では、収納部は開口部６を有している。これにより、収納具１には平滑面に貼り付けた状態で印刷物５を出し入れできる。
【００５６】
本発明は、以上に記載の実施形態のみに限定される訳ではなく、発明の趣旨を逸脱しない範囲で各種の変更を加えてもよい。
【００５７】
表面シート３を２つ折りにし、それを、折り目を下にした状態で背面シート２に保持するように構成してもよい。２つ折りにした表面シート３の間にできる空間がその場合の収納部となる。また、その場合の表面シート３の背面シート２への保持にも融着、縫製、ステープラにより針で留めること、接着等があり、背面シート２が平滑面に密着する密着力よりも強い力で表面シート３を背面シート２に保持する。
【図面の簡単な説明】
【００５８】
【図１】本実施形態に係る収納具１の平面図である。
【図２】収納具１の側面図である。
【図３】収納具１であって内部に印刷物を収納した状態の外観図である。
【符号の説明】
【００５９】
１    収納具
２    背面シート
３    表面シート
５    印刷物
６    開口部
【図１】
2007114254.tif 000003
【図２】
2007114254.tif 000004
【図３】
2007114254.tif 000005